(57)【要約】      （修正有）【課題】上下の竪樋を接続する竪樋継手を着脱自在とするとともに、その着脱操作を容易にし、該竪樋継手の修理交換と掃除を簡単に行うことのできる雨水取水装置を提供する。【解決手段】上下の竪樋６、７を接続する竪樋継手１を水上側部材２と水下側部材３とで構成し、該水上側部材２と水下側部材３とを互いにねじ接合により連設し、水上側部材２にフィルター等の濾過体４を収納した状態で該連設された竪樋継手１を竪樋間に着脱自在に取り付け、竪樋継手１を竪樋間に取り付けた状態で水上側部材２と水下側部材３との螺合を解除することにより該竪樋継手１を竪樋６、７の長手方向に伸長させるとともに、水上側部材２と水下側部材３とを離間できるようにした。また、水下側の竪樋７を貯水槽に連結した。【選択図】図２
2009121198.tif 000002
【特許請求の範囲】
【請求項１】
上下の竪樋を接続する竪樋継手を水上側部材と水下側部材とで構成し、該水上側部材と水下側部材とを互いにねじ接合により連設し、水上側部材にフィルター等の濾過体を収納した状態で該連設された竪樋継手を竪樋間に着脱自在に取り付け、竪樋継手を竪樋間に取り付けた状態で水上側部材と水下側部材との螺合を解除することにより該竪樋継手を竪樋の長手方向に伸長させるとともに、水上側部材と水下側部材とを離間できるようにしたことを特徴とする雨水取水装置。
【請求項２】
上記竪樋継手を竪樋間に取り付けた状態で水上側部材と水下側部材との螺合を解除したとき、水上側部材が水上側の竪樋の軸方向に摺動自在に相対移動することを特徴とする請求項１記載の雨水取水装置。
【請求項３】
上記竪樋継手を竪樋間に取り付けた状態で水上側部材と水下側部材との螺合を解除したとき、水下側部材が水下側の竪樋の軸方向に摺動自在に相対移動することを特徴とする請求項１記載の雨水取水装置。
【請求項４】
上記水下側の竪樋を貯水槽に連結したことを特徴とする請求項１記載の雨水取水装置。
【発明の詳細な説明】
【技術分野】
【０００１】
本願発明は、竪樋間に接続される竪樋継手に係り、特に、この竪樋継手内にフィルター等の濾過材を収納し竪樋内の雨水を貯水槽に貯留する雨水取水装置に関するものである。
【背景技術】
【０００２】
従来から、特開平２００２−３８６７１号公報に示されるように、上下の竪樋を接続する竪樋継手に雨水取出筒を付設し、この雨水取出筒と貯水槽とをホース等で連結した雨水取水装置が知られている。この従来の雨水取水装置は、水上側の竪樋を落下する雨水の一部を濾過材（濾過材を使用しない場合もある）を介して取水し、濾過された雨水を貯水槽に貯留するというものである。この雨水取水装置は降雨量が少ないときは貯水槽が取水で満杯になるのに時間（期間）が掛かり、貯水槽に取水される水量よりも使用する水量の方が多いことが度々あった。特に取水した雨水を生活用水として活用している山間部や降雨量の少ない地域では、十分な貯留量が得られなかった。
【０００３】
また、この雨水取水装置は、竪樋内の雨水の一部を雨水取出筒に分岐する構成が複雑であり、その構成部分が落ち葉等のゴミで汚れ易いものであった。
【特許文献１】特開２００２−３８６７１号公報
【発明の開示】
【発明が解決しようとする課題】
【０００４】
上記従来例である雨水取水装置は、取水量が十分でなく、且つ、取水分岐構成部の修理交換がしにくく、掃除もしにくい、という問題があった。本願発明は、上記背景技術に鑑みてなされたものであり、その目的は、上下の竪樋を接続する竪樋継手を着脱自在とするとともに、その着脱操作を容易にし、該竪樋継手の修理交換と掃除を簡単に行うことのできる雨水取水装置を提供することにある。
【課題を解決するための手段】
【０００５】
上記課題を解決するために、本願請求項１記載の発明は、上下の竪樋を接続する竪樋継手を水上側部材と水下側部材とで構成し、該水上側部材と水下側部材とを互いにねじ接合により連設し、水上側部材にフィルター等の濾過体を収納した状態で該連設された竪樋継手を竪樋間に着脱自在に取り付け、竪樋継手を竪樋間に取り付けた状態で水上側部材と水下側部材との螺合を解除することにより該竪樋継手を竪樋の長手方向に伸長させるとともに、水上側部材と水下側部材とを離間できるようにしたことを特徴とする雨水取水装置である。
【０００６】
本願請求項２記載の発明は、上記請求項１記載の雨水取水装置において、上記竪樋継手を竪樋間に取り付けた状態で水上側部材と水下側部材との螺合を解除したとき、水上側部材が水上側の竪樋の軸方向に摺動自在に相対移動することを特徴としている。
【０００７】
本願請求項３記載の発明は、上記請求項1記載の雨水取水装置において、上記竪樋継手を竪樋間に取り付けた状態で水上側部材と水下側部材との螺合を解除したとき、水下側部材が水下側の竪樋の軸方向に摺動自在に相対移動することを特徴としている。
【０００８】
本願請求項４記載の発明は、上記請求項１記載の雨水取水装置において、上記水下側の竪樋を貯水槽に連結したことを特徴としている。
【発明の効果】
【０００９】
本願請求項１記載の雨水取水装置は、上記のとおりであり、特に、竪樋継手を水上側部材と水下側部材との２部品で構成し、この２部品を互いにねじ接合により連設しているから、この２部品は簡単に組み立て分解できるのであり、従って、その清掃点検を容易に行える。
【００１０】
また、竪樋継手を竪樋間に取り付けた状態で水上側部材と水下側部材との螺合を解除することにより該竪樋継手を竪樋の長手方向に伸長できるようにしたから、水上側部材と水下側部材とを離間でき、従って、竪樋継手を竪樋間から簡単に取り外すことができる。
【００１１】
更に、本願の雨水取水装置のように、竪樋を流れる雨水の全部を取水する場合、落ち葉やゴミ等の多くの異物が濾過体に溜まり竪樋継手内が短期間で汚れたり或いは流通路が狭くなったりするので、竪樋継手内の清掃や濾過体の取替え回数が増えるという課題があったが、上記の如く、本願の雨水取水装置は竪樋継手の竪樋からの取り外しが容易であり、この課題を解決するのに適している。
【００１２】
本願請求項２記載の雨水取水装置においては、特に、竪樋継手を取り外すとき、水上側部材が水上側の竪樋の軸方向に摺動自在に上昇移動できるようにしているから、水上側部材と水下側部材との一方を少ない力で回動するのみで該両者を離間させることができ、従って、竪樋継手を容易に取り外すことができる。
【００１３】
本願請求項３記載の雨水取水装置においては、特に、竪樋継手を取り外すとき、水下側部材が水下側の竪樋の軸方向に摺動自在に下降移動できるようにしているから、水下側部材を少ない力で回動するのみで該両者を離間させることができ、従って、竪樋継手を容易に取り外すことができる。
【００１４】
本願請求項４記載の雨水取水装置においては、特に、水下側の竪樋を貯水槽に連結しているから、竪樋を流れる雨水を全て取水でき、降雨不足の地域での使用に最適であるとともに、竪樋継手内に異物が溜まり易いという課題も、上記の如く竪樋への竪樋継手の着脱を簡単容易にすることにより解決している。
【発明を実施するための最良の形態】
【００１５】
以下、本願発明の雨水取水装置について図面を参照して詳細に説明する。図１は、雨水取水装置の使用状態を示す部分正面図である。図において、１は竪樋継手であり、竪樋継手１は水上側部材２と水下側部材３とで構成されている。竪樋継手１は水上側の竪樋６と水下側の竪樋７とを接続している。竪樋継手１は竪樋６、７に対して着脱自在となっている。５はグランドＧに設置された貯水槽であって、竪樋６、竪樋継手１及び竪樋７を流れる雨水は竪樋継手１内で濾過されてすべて貯水槽５に貯留される。
【００１６】
図２は本願発明の第１の実施形態である雨水取水装置の使用状態を示す部分断面図、図３は上記雨水取水装置における竪樋継手１を竪樋６、７からの取り外す途中の状態を示す部分断面図である。水下側の竪樋７の上端部７１に水下側部材３の下端部が外嵌合し、該下端部の内面に形成した環状フランジ３１が該竪樋７の上頂面に着脱自在に、且つ、回動自在に着座している。水下側部材３の上端部内周面及び水上側部材２の下端部外周面のそれぞれには互いに螺合するねじ３２、２１が形成されている。水上側部材２の下端部内周面には環状段部２２が形成され、該環状段部２２に多数の開口部形成した円盤状の載置台８が着脱自在に載置されている。該載置台８にはフィルター等の濾過体４が着脱自在に載置される。竪樋６の下端部６１には水上側部材２の上端部が着脱自在に外嵌合しており、該水上側部材２は竪樋６の長手方向に対して摺動自在で、且つ、回動自在になっている。
【００１７】
竪樋６内を落下してきた雨水は濾過体４を通過中に濾過される。このとき、雨水に混ざっていた落ち葉やゴミ等の異物が濾過体４に堰き止められる。全ての雨水は濾過され水下側の竪樋７を通って貯水槽５に貯留される。このように竪樋６、７内の全ての雨水が取水されるので、降雨量の少ない地域であっても、効率よく貯水槽４に水が溜まる。しかし、一方、竪樋を流れる雨水の全てを取水すると、濾過体４や竪樋継手１の内部の汚れも早くなる。そこで、竪樋継手１を竪樋６、７から取り外し、濾過体４の取替えと竪樋継手１の掃除の回数が増えてくる。
【００１８】
次に竪樋継手１を竪樋６、７から取り外す手順について説明する。図２に示す状態において、水上側部材２に対して水下側部材３をその螺合状態を解除する方向に回動する。すると水上側部材２は水上側の竪樋６を摺動しながら上方に移動していく。該螺合状態が完全に解除された後も更に手動で水上側部材２を上方に移動させた状態を示すのが図３である。図３に示す状態において、水下側の竪樋７を少し撓ませながら水下側部材３を該竪樋７から取り外す。次いで水上側部材２を下方に摺動させながら水上側の竪樋６から取り外す。竪樋継手１が完全に竪樋６、７から取り外されたら、竪樋継手１、濾過体４及び載置台８の掃除を行い、必要に応じてそれらの部品を取り替える。竪樋継手１を竪樋６、７の取り付けるときは取り外したときの逆の手順で取り付ける。
【００１９】
図４は本願発明の第２の実施形態である雨水取水装置の使用状態を示す部分断面図、図５は本願発明の第２の実施形態である雨水取水装置における竪樋継手を竪樋から取り外す途中の状態を示す部分断面図である。上記第１の実施形態の雨水取水装置に対して、この第２の実施形態である雨水取水装置は、水下側部材３から前記環状フランジ３１を除去し、水上側部材２と竪樋６とを着脱自在に螺合したものである。即ち、この実施の形態においては、水下側部材３を竪樋７に対して上下方向に摺動自在とし、水上側部材２の上端部内周面にねじ２３を螺設し、且つ、水上側の竪樋６の下端部６１の外周面にねじ６２を螺設し、該両者を着脱自在に螺合したものである。第１、第２の実施の形態のその他の構成は同じである。
【００２０】
次に第２の実施の形態における竪樋継手１を竪樋６、７から取り外す手順について説明する。図４に示す状態において、竪樋６のねじ６２に水上側部材２のねじ２３が螺合し水上側部材２のねじ２１に水下側部材３のねじ３２が螺合し水下側部材３の下端部は竪樋７の上端部７１の外周面に摺動自在に外嵌合しているから、竪樋継手１全体はねじ２３、６２を介して竪樋６に支持されている（図４参照）。この状態で、水上側部材２に対して水下側部材３をその螺合状態を解除する方向に回動する。すると水下側部材３は水下側の竪樋７を摺動しながら下方に移動していく。該螺合状態が完全に解除された後も更に手動で水下側部材３を下方に移動させた状態を示すのが図５である。図５に示す状態において、水下側の竪樋７を少し撓ませながら水下側部材３を該竪樋７から取り外す。次に水上側の竪樋６のねじ６２と水上側部材２のねじ２３の螺合状態が解除されるよう水上側部材２を回動して該水上側部材２を竪樋６から取り外すのである。竪樋継手１が完全に竪樋６、７から取り外されたら、竪樋継手１、濾過体４及び載置台８の掃除を行い、必要に応じてそれらの部品を取り替える。竪樋継手１を竪樋６、７の取り付けるときは取り外したときの逆の手順で取り付ける。
【００２１】
第２の実施の形態においては、竪樋継手１を竪樋６、７から取り外す手順は他の方法もある。即ち、図４において、竪樋継手１全体を竪樋６に対してその螺合状態が解除されるよう回動する。このとき竪樋継手１全体が水下側の竪樋７を摺動しながら下方に移動していき、竪樋継手１は水上側の竪樋６から離脱する。勿論このとき竪樋継手１が水下側の竪樋７に対して十分下方に摺動移動できるよう両者の寸法関係を事前に調節しておく必要がある。竪樋継手１が竪樋６から離脱した後に水下側の竪樋７を少し撓ませながら竪樋継手１全体を該竪樋７から取り外す。最後に水上側部材２と水下側部材３との螺合状態を解除するのである。
【００２２】
このように、本願に係る雨水取水装置は、竪樋６、７間への竪樋継手１の取り付け取り外しが竪樋継手１の一部、又は、全部を回動するのみで容易に行うことができ、竪樋継手１、濾過体４、載置台８等の掃除交換を簡単気楽に行うことができる。
【図面の簡単な説明】
【００２３】
【図１】本願発明の雨水取水装置の使用状態を示す部分正面図。
【図２】本願発明の第１の実施形態である雨水取水装置の使用状態を示す部分断面図。
【図３】本願発明の第１の実施形態である雨水取水装置における竪樋継手を竪樋からの取り外す途中の状態を示す部分断面図。
【図４】本願発明の第２の実施形態である雨水取水装置の使用状態を示す部分断面図。
【図５】本願発明の第２の実施形態である雨水取水装置における竪樋継手を竪樋からの取り外す途中の状態を示す部分断面図。
【符号の説明】
【００２４】
１      竪樋継手
２      水上側部材
２１    ねじ
２２    環状段部
２３    ねじ
３      水下側部材
３１    環状フランジ
３２    ねじ
４      濾過体
５      貯水槽
６      水上側の竪樋
６１    竪樋の下端部
６２    ねじ
７      水下側の竪樋
７１    竪樋の上端部
８      載置台
Ｇ      グランド
【図１】
2009121198.tif 000003
【図２】
2009121198.tif 000004
【図３】
2009121198.tif 000005
【図４】
2009121198.tif 000006
【図５】
2009121198.tif 000007